(57)【要約】【課題】補強部材と維持部材とが結合されて形成されるフレームを備えることによって、コンパクト設計および軽量化設計を可能とするバッテリーパックを提供する。【解決手段】互いに積層される複数のバッテリーセルと、複数のバッテリーセルをカバーする維持部材と、維持部材の内部に形成された補強部材を含むフレームと、複数のバッテリーセルの外側に配置され、フレームに結合されるエンドプレートとを含むバッテリーパックが提供される。【選択図】図１
2011253799.tif 000002
【特許請求の範囲】
【請求項１】
互いに積層される複数のバッテリーセルと；
前記複数のバッテリーセルをカバーする維持部材と、前記維持部材の内部に形成された補強部材を含むフレームと；
前記複数のバッテリーセルの外側に配置され、前記フレームに結合されるエンドプレートと；
を含むことを特徴とする、バッテリーパック。
【請求項２】
前記維持部材と前記補強部材とは、互いに異なる材質で形成されることを特徴とする、請求項１に記載のバッテリーパック。
【請求項３】
前記維持部材と前記補強部材とは、インサート射出方法によって結合されることを特徴とする、請求項１、または２のいずれか１項に記載のバッテリーパック。
【請求項４】
前記維持部材は、絶縁性樹脂で形成されることを特徴とする、請求項１、または２のいずれか１項に記載のバッテリーパック。
【請求項５】
前記補強部材は、金属材質で形成されることを特徴とする、請求項１、または２のいずれか１項に記載のバッテリーパック。
【請求項６】
前記補強部材の一部が前記維持部材から露出して前記エンドプレートを貫通することを特徴とする、請求項１、または２のいずれか１項に記載のバッテリーパック。
【請求項７】
前記エンドプレートの外側に配置され、前記補強部材の一部に締結されるナットをさらに含むことを特徴とする、請求項６に記載のバッテリーパック。
【請求項８】
前記維持部材は、
前記複数のバッテリーセルの下部をカバーする底部と；
前記底部の両側で折曲されて延長され、前記複数のバッテリーセルの両側部をカバーする側壁部と；
を含むことを特徴とする、請求項１、または２のいずれか１項に記載のバッテリーパック。
【請求項９】
前記補強部材は、前記側壁部に位置することを特徴とする、請求項８に記載のバッテリーパック。
【請求項１０】
前記補強部材は、
前記複数のバッテリーセルの積層方向と平行に設置され、バー形状を有するベース部と；
前記維持部材の外部に露出するように前記ベース部から延長され、前記エンドプレートを貫通する延長部と；
前記延長部の外面に形成されたねじ山と；
を含むことを特徴とする、請求項１、または２のいずれか１項に記載のバッテリーパック。
【請求項１１】
前記補強部材は、外面に形成された複数の結合溝を含み、
前記結合溝には前記維持部材が係止されることを特徴とする、請求項１、または２のいずれか１項に記載のバッテリーパック。
【請求項１２】
前記補強部材は、外面に形成された複数の結合突起を含むことを特徴とする、請求項１、または２のいずれか１項に記載のバッテリーパック。
【請求項１３】
前記エンドプレートは、
前記複数のバッテリーセルと対向するフラット部と；
前記フラット部の両側で折曲されて延長される折曲部と；
前記フラット部のうち前記補強部材が挿入される貫通孔と；
を含むことを特徴とする、請求項１、または２のいずれか１項に記載のバッテリーパック。
【請求項１４】
前記維持部材の一側に露出するように前記維持部材の内部のうち前記補強部材の外側に形成され、前記エンドプレートと結合される連結部材をさらに含むことを特徴とする、請求項１、または２のいずれか１項に記載のバッテリーパック。
【請求項１５】
前記連結部材は前記エンドプレートを貫通するボルトであり、
前記エンドプレートの外部に配置され前記連結部材に締結されるナットをさらに含むことを特徴とする、請求項１４に記載のバッテリーパック。
【請求項１６】
前記連結部材はナットであり、
前記エンドプレートの外部に配置され前記エンドプレートを貫通して前記連結部材に締結されるボルトをさらに含むことを特徴とする、請求項１４に記載のバッテリーパック。
【請求項１７】
前記補強部材は、メッシュ状からなることを特徴とする、請求項１４に記載のバッテリーパック。
【請求項１８】
前記補強部材は、第１金属ラインと第２金属ラインを含むことを特徴とする、請求項１７に記載のバッテリーパック。
【請求項１９】
前記複数のバッテリーセルのうち隣接するバッテリーセルの間に介在する絶縁体をさらに含むことを特徴とする、請求項１、または２のいずれか１項に記載のバッテリーパック。
【発明の詳細な説明】
【技術分野】
【０００１】
本発明は、バッテリーパックに関する。
【背景技術】
【０００２】
一般的に、二次電池は、充電および放電が可能で繰り返して使用できる電池である。また、二次電池は、例えば、一つのバッテリーセルで構成されて携帯電話、ノートパソコン、コンピュータ、カメラ、カムコーダなどの携帯用小型電子機器に用いることができ、または複数のバッテリーセルを含むバッテリーパックで構成されて高出力のハイブリッド電気自動車（ＨＥＶ：Hybrid  Electric  Vehicle）、電気自動車（ＥＶ：Electric  Vehicle）、電気スクーターなどのモータ駆動用電源に用いることができる。
【０００３】
一方、バッテリーパックは複数のバッテリーセルの他に固定部材およびケースなど多くの部品を含む。このような多くの部品はバッテリーパックのコンパクト設計および軽量化設計の障害となっている。
【発明の概要】
【発明が解決しようとする課題】
【０００４】
本発明は、上記問題に鑑みてなされたものであり、本発明の目的とするところは、補強部材と維持部材とが結合されて形成されるフレームを備えることによって、コンパクト設計および軽量化設計を可能とする、新規かつ改良されたバッテリーパックを提供することにある。
【課題を解決するための手段】
【０００５】
上記目的を達成するために、本発明の観点によれば、互いに積層される複数のバッテリーセルと、上記複数のバッテリーセルをカバーする維持部材と、上記維持部材の内部に形成された補強部材を含むフレームと、上記複数のバッテリーセルの外側に配置され、上記フレームに結合されるエンドプレートとを含むバッテリーパックが提供される。
【０００６】
また、上記維持部材と上記補強部材とは、互いに異なる材質で形成されてもよい。
【０００７】
また、上記維持部材と上記補強部材とは、インサート射出方法によって結合されてもよい。
【０００８】
また、上記維持部材は、絶縁性樹脂で形成されてもよい。
【０００９】
また、上記補強部材は、金属材質で形成されてもよい。
【００１０】
また、上記補強部材の一部が上記維持部材から露出して上記エンドプレートを貫通してもよい。
【００１１】
また、上記エンドプレートの外側に配置され、上記補強部材の一部に締結されるナットをさらに含んでもよい。
【００１２】
また、上記維持部材は、上記複数のバッテリーセルの下部をカバーする底部と、上記底部の両側で折曲されて延長され、上記複数のバッテリーセルの両側部をカバーする側壁部とを含んでもよい。
【００１３】
また、上記補強部材は、上記側壁部に位置してもよい。
【００１４】
また、上記補強部材は、上記複数のバッテリーセルの積層方向と平行に設置され、バー形状を有するベース部と、上記維持部材の外部に露出するように上記ベース部から延長され、上記エンドプレートを貫通する延長部と、上記延長部の外面に形成されたねじ山とを含んでもよい。
【００１５】
また、上記補強部材は、外面に形成された複数の結合溝を含み、上記結合溝には上記維持部材が係止されてもよい。
【００１６】
また、上記補強部材は、外面に形成された複数の結合突起を含んでもよい。
【００１７】
また、上記エンドプレートは、上記複数のバッテリーセルと対向するフラット部と、上記フラット部の両側で折曲されて延長される折曲部と、上記フラット部のうち上記補強部材が挿入される貫通孔とを含んでもよい。
【００１８】
また、上記維持部材の一側に露出するように上記維持部材の内部のうち上記補強部材の外側に形成され、上記エンドプレートと結合される連結部材をさらに含んでもよい。
【００１９】
また、上記連結部材は上記エンドプレートを貫通するボルトであり、上記エンドプレートの外部に配置され上記連結部材に締結されるナットをさらに含んでもよい。
【００２０】
また、上記連結部材はナットであり、上記エンドプレートの外部に配置され上記エンドプレートを貫通して上記連結部材に締結されるボルトをさらに含んでもよい。
【００２１】
また、上記補強部材は、メッシュ状からなってもよい。
【００２２】
また、上記補強部材は、第１金属ラインと第２金属ラインを含んでもよい。
【００２３】
また、上記複数のバッテリーセルのうち隣接するバッテリーセルの間に介在する絶縁体をさらに含んでもよい。
【発明の効果】
【００２４】
本発明によれば、補強部材と維持部材とが結合されて形成されるフレームを備えることによって、コンパクト設計および軽量化設計が可能となる。
【００２５】
より具体的には、本発明の実施形態に係るバッテリーパックは、インサート射出方法などによって補強部材と維持部材とが結合されて形成されるフレームを備えることによって、製造工程を単純化することができ、コンパクト設計が可能となる。
【００２６】
また、本発明の実施形態に係るバッテリーパックは、補強部材と維持部材とを互いに異なる材質で形成することによって、外力によるストレスを分散させることができる。
【００２７】
また、本発明の実施形態に係るバッテリーパックは、補強部材を金属材質で形成し、維持部材を絶縁性樹脂で形成することによって、放熱機能および絶縁機能をともに向上させることができ、強度を高めながら形状の維持および軽量化を実現できることができる。
【図面の簡単な説明】
【００２８】
【図１】本発明の一実施形態に係るバッテリーパックを示す斜視図である。
【図２】図１に示すバッテリーパックを分離して示す分離斜視図である。
【図３】図２に示す切取線Ａ−Ａ'に沿って切り取った部分の断面図である。
【図４】本発明の他の実施形態に係るバッテリーパックのうち、図３に対応する部分の断面図である。
【図５】本発明の他の実施形態に係るバッテリーパックのうち、図３に対応する部分の断面図である。
【図６】本発明の他の実施形態に係るバッテリーパックのうち、図３に対応する部分の断面図である。
【図７】図６に示す補強部材を示す平面図である。
【図８】本発明の他の実施形態に係るバッテリーパックのうち、図３に対応する部分の断面図である。
【発明を実施するための形態】
【００２９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３０】
図１は、本発明の一実施形態に係るバッテリーパックを示す斜視図であり、図２は、図１のバッテリーパックを分離して示す分離斜視図である。また、図３は、図２の切取線Ａ−Ａ'に沿って切り取った部分の断面図である。
【００３１】
図１および図２に示すように、本発明の一実施形態に係るバッテリーパック１００は、複数のバッテリーセル１１０と、フレーム１２０と、エンドプレート１３０とを含む。
【００３２】
複数のバッテリーセル１１０は、互いに積層するように配置されることができ、電気的な連結部材（図示せず）によって互いに直列または並列に連結される。このような複数のバッテリーセル１１０は、例えば、外部電子機器に連結されて電源を供給する放電動作を行うか、外部電子機器から電源供給を受ける充電動作を行う。
【００３３】
複数のバッテリーセル１１０は、それぞれ正極板と負極板がセパレーターを間に置いて位置する電極組立体１１１と、電極組立体１１１が内蔵される空間を具備するケース１１２と、ケース１１２と結合されてケース１１２を密封するキャップ組立体１１３と、正極板と負極版とそれぞれ電気的に連結されキャップ組立体１１３の外側に突出する正極端子１１４と、負極端子１１５とを含む。ここで、複数のバッテリーセル１１０のうち隣接するバッテリーセルの間には、例えば不必要な短絡を防止するための薄い厚さの絶縁体１０１が介在され得る。また図示はしていないが、複数のバッテリーセル１１０のうち最縁部のバッテリーセルの外面には、例えば薄い厚さの絶縁体１０１が付着されてもよい。以下、本発明の実施形態では、正極端子１１４と負極端子１１５とがバッテリーセル１１０の外部に露出した方向を、上部方向とする。
【００３４】
フレーム１２０は、複数のバッテリーセル１１０をカバーするように形成され、複数のバッテリーセル１１０を固定し外部から保護する役割を行う。このようなフレーム１２０は、例えばインサート射出方法などによって結合される維持部材１２１と補強部材１２３とを含んで形成される。ここで、インサート射出方法とは、互いに異なる材質の構成を結合させて一つの構成に形成する方法である。
【００３５】
維持部材１２１は、フレーム１２０の外観を形成する。具体的には、維持部材１２１は、複数のバッテリーセル１１０の下部をカバーする底部１２１ａと、複数のバッテリーセル１１０の両側部をカバーするように底部１２１ａの両側で折曲されて延長される側壁部１２１ｂとを含む。このような維持部材１２１はフレーム１２０の形状を維持する役割を果たし、このために、例えば形状の変形の少ない絶縁性樹脂で形成され得る。
【００３６】
補強部材１２３は、維持部材１２１の内部に形成され、フレーム１２０の強度を補強する役割を果たす。このために、補強部材１２３は強度の高い金属材質、例えばステンレススチール材質で形成され得る。ここで、補強部材１２３は、維持部材１２１の側壁部１２１ｂに位置する少なくとも一つの連結ロッド（ｒｅｓｔｒａｉｎｔ  ｒｏｄ）であってもよく、一部が維持部材１２１から露出されてエンドプレート１３０を貫通する。
【００３７】
具体的には、補強部材１２３は、例えば図３に示すように、ベース部１２４と、延長部１２５と、ねじ山１２６とを含む。図３では、補強部材１２３が実質的に位置する維持部材１２１の側壁部１２１ｂ部分が図示されている。ベース部１２４は、複数のバッテリーセル１１０の積層方向と平行をなし、バー（ｂａｒ）形状を有する。延長部１２５は維持部材１２１の外部に露出するようにベース部１２４から延長され、エンドプレート１３０を貫通する。ねじ山１２６は、延長部１２５の外面に形成され、ナット１３５を延長部１２５に締結させる。
【００３８】
上記のように、フレーム１２０は、例えばインサート射出方法などによって維持部材１２１と補強部材１２３とが結合されて形成されることによって、複数のバッテリーセルを固定する連結ロッドと別途のケースをそれぞれ具備する場合より、バッテリーパック１００の製造工程を単純化することができ、バッテリーパック１００のコンパクト設計を可能にする。また、維持部材１２１と補強部材１２３とが互いに異なる材質で形成されることによって、フレーム１２０は外力によるバッテリーパック１００のストレスを分散させることができる。また、補強部材１２３が金属材質で形成されて維持部材１２１が絶縁性樹脂で形成されることによって、フレーム１２０はバッテリーパック１００の放熱機能および絶縁機能をともに向上させることができる。また、フレーム１２０は、樹脂のみで形成されるフレームよりバッテリーパック１００の強度を高めることができ、金属のみで形成されるフレームよりバッテリーパック１００の形状維持および軽量化を実現できる。
【００３９】
エンドプレート１３０は、複数のバッテリーセル１１０の外側、具体的にはフレーム１２０によってカバーされない両側をカバーするように形成され、フレーム１２０に結合されて固定される。このようなエンドプレート１３０は、フレーム１２０とともに複数のバッテリーセル１１０を固定する役割を果たす。エンドプレート１３０は、例えば、金属材質または樹脂で形成されることができ、フラット部１３１、折曲部１３２および貫通孔１３３を含むことができる。
【００４０】
フラット部１３１は、対向するバッテリーセル１１０をカバーしフレーム１２０に結合されるように形成される。
【００４１】
折曲部１３２は、フラット部１３１の両側最縁部で折曲されて延長される。このような折曲部１３２は、エンドプレート１３０の剛性を補強してエンドプレート１３０が外力によってねじれることを防止する。
【００４２】
貫通孔１３３は、フラット部１３１のうち補強部材１２３の延長部１２５に対応する領域に形成され、補強部材１２３の延長部１２５が挿入されるようにする。
【００４３】
上記のようなエンドプレート１３０は、補強部材１２３の延長部１２５がエンドプレート１３０の貫通孔１３３に挿入され、ナット１３５が補強部材１２３のねじ山１２６を介して延長部１２５に締結されることによって、フレーム１２０に結合されて固定される。
【００４４】
上記のように、本発明の一実施形態に係るバッテリーパック１００は例えばインサート射出方法などによって維持部材１２１と補強部材１２３が結合されて形成されるフレーム１２０を備えることによって、製造工程を単純化することができコンパクト設計を可能にする。
【００４５】
また、本発明の一実施形態に係るバッテリーパック１００は、維持部材１２１と補強部材１２３とを互いに異なる材質で形成することによって、外力によるストレスを分散させることができる。
【００４６】
また、本発明の一実施形態に係るバッテリーパック１００は、維持部材１２１を絶縁性樹脂で形成し、補強部材１２３を金属材質で形成することによって、放熱機能および絶縁機能をともに向上させることができ、強度を高めながら形状維持および軽量化を実現できる。
【００４７】
次いで、本発明の他の実施形態に係るバッテリーパックについて説明する。
【００４８】
図４は、本発明の他の実施形態に係るバッテリーパックのうち図３に対応する部分の断面図である。
【００４９】
本発明の他の実施形態に係るバッテリーパックは、本発明の一実施形態に係るバッテリーパック１００と比べてフレーム２２０の補強部材２２３の形状のみが異なるだけで同じ構成を有し、同じ構成部分は、一実施形態に係るバッテリーパック１００の対応する構成部分と同じ役割を果たす。したがって、同じ構成に対する重複する説明は省略し、フレーム２２０の補強部材２２３についてのみ説明する。
【００５０】
図４に示すように、フレーム２２０は、例えばインサート射出方法などによって維持部材１２１と補強部材２２３が結合されて形成される。
【００５１】
補強部材２２３は、図３の補強部材１２３と類似である。ただし、補強部材２２３はベース部１２４の外面に形成された複数の結合溝２２７をさらに含む。上記構成により、複数の結合溝２２７に維持部材１２１が係止されて固く固定させることができる。
【００５２】
上記のように、図４に示す本発明の他の実施形態に係るバッテリーパックは、補強部材２２３に形成される複数の結合溝２２７をさらに含むことによって、互いに異なる材質で形成される補強部材２２３と維持部材１２１の結合力をさらに高めることができる。
【００５３】
次いで、本発明のさらに他の実施形態に係るバッテリーパックについて説明する。
【００５４】
図５は、本発明の他の実施形態に係るバッテリーパックのうち図３に対応する部分の断面図である。
【００５５】
図５に示す本発明の他の実施形態に係るバッテリーパックは、本発明の一実施形態に係るバッテリーパック１００と比べてフレーム３２０の補強部材３２３の形状のみが異なるだけで同じ構成を有し、同じ構成部分は、一実施形態に係るバッテリーパック１００の対応する構成部分と同じ役割を果たす。したがって、同じ構成に対する重複した説明は省略し、フレーム３２０の補強部材３２３についてのみ説明する。
【００５６】
図５に示すように、フレーム３２０は、例えばインサート射出方法などによって維持部材１２１と補強部材３２３とが結合されて形成される。
【００５７】
補強部材３２３は、図３の補強部材１２３と類似である。ただし、補強部材３２３は、ベース部１２４の外面に形成された複数の結合突起３２７をさらに含む。複数の結合突起３２７は、互いに異なる材質で形成される補強部材３２３と維持部材１２１との結合力を高めるとともに外力に対して抵抗する支持体として作用することができる。
【００５８】
上記のように、図５に示す本発明の他の実施形態に係るバッテリーパックは、補強部材３２３に形成される複数の結合突起３２７をさらに含むことによって、互いに異なる材質で形成される補強部材３２３と維持部材１２１との結合力をさらに高めることができるだけではなく、外力に対する抵抗力を高めることができる。
【００５９】
次いで、本発明のさらに他の実施形態に係るバッテリーパックについて説明する。
【００６０】
図６は、本発明の他の実施形態に係るバッテリーパックのうち図３に対応する部分の断面図であり、図７は、図６の補強部材を示す平面図である。
【００６１】
図６に示す本発明の他の実施形態に係るバッテリーパックは、本発明の一実施形態に係るバッテリーパック１００と比べてフレーム４２０の補強部材４２３の形状が異なり、連結部材４２６をさらに含むことのみが異なるだけで同じ構成を有し、同じ構成部分は、一実施形態に係るバッテリーパック１００の対応する構成部分と同じ役割を果たす。したがって、同じ構成に対する重複する説明は省略し、フレーム４２０の補強部材４２３および連結部材４２６についてのみ説明する。
【００６２】
図６および図７に示すように、フレーム４２０は、例えばインサート射出方法などによって維持部材１２１、補強部材４２３および連結部材４２６が結合されて形成される。
【００６３】
補強部材４２３は、維持部材１２１の内部に形成され、フレーム４２０の強度を補強する役割を果たす。このために、補強部材４２３は強度の高い金属材質、例えばステンレススチール材質で形成され得る。ここで、補強部材４２３は、メッシュ状に形成され、具体的には第１金属ライン４２４と第２金属ライン４２５とを含む。このような補強部材４２３は、維持部材１２１の側壁部に全体的に配置され、フレーム４２０の強度をさらに高めることができる。
【００６４】
連結部材４２６は、フレーム４２０のうちエンドプレート（図２の１３０）の貫通孔１３３に対応する領域に設置され、例えばボルトであり得る。連結部材４２６は、維持部材１２１の内部のうち補強部材４２３の外側に形成されるベース部４２７と、維持部材１２１の一側に露出する延長部４２８と、延長部４２８の外面に形成されたねじ山４２８とを含む。このような連結部材４２６の延長部４２８がエンドプレート１３０の貫通孔１３３に挿入され、ナット（図２の１３５）がねじ山４２８を介して延長部４２８に締結されると、エンドプレート１３０がフレーム４２０に結合されて固定される。
【００６５】
上記のように、図６に示す本発明の他の実施形態に係るバッテリーパックは、メッシュ状の補強部材４２３を維持部材１２１の側壁部に全体的に配置させてフレーム４２０の強度をさらに高めることで、外力に対する抵抗力をさらに高めることができる。
【００６６】
次いで、本発明の他の実施形態に係るバッテリーパックについて説明する。
【００６７】
図８は、本発明の他の実施形態に係るバッテリーパックのうち図３に対応する部分の断面図である。
【００６８】
図８に示す本発明の他の実施形態に係るバッテリーパックは、本発明の一実施形態に係るバッテリーパック１００と比べてフレーム５２０の補強部材４２３の形状が異なり、連結部材５２３およびボルト５３５をさらに含むことのみが異なるだけで同じ構成を有し、同じ構成部分は、一実施形態に係るバッテリーパック１００の対応する構成部分と同じ役割を果たす。したがって、同じ構成に対する重複する説明は省略し、フレーム５２０の補強部材４２３、連結部材５２３およびボルト５３５についてのみ説明する。
【００６９】
図８に示すように、フレーム５２０は、例えばインサート射出方法などによって維持部材１２１、補強部材４２３および連結部材５２３が結合されて形成される。
【００７０】
補強部材４２３は、図６で説明したので、重複する説明は省略する。
【００７１】
連結部材５２３は、フレーム５２０のうちエンドプレート（図２の１３０）の貫通孔１３３に対応する領域に設置され、例えばナットであり得る。連結部材５２３は、維持部材１２１の一側に露出するように維持部材１２１の内部のうち補強部材４２３の外側に形成される。
【００７２】
ボルト５３５は、外面一部にねじ山５３６を有し、エンドプレート（図２の１３０）の貫通孔１３３を通過して連結部材５２３に締結され、フレーム５２０がエンドプレート（図２の１３０）に結合されて固定される。ここで、フレーム５２０とエンドプレート（図２の１３０）とを結合させるためにボルト５３５が使われるので、図２のナット１３５は除去される。
【００７３】
上記のように、図８に示す本発明の他の実施形態に係るバッテリーパックは、メッシュ状の補強部材４２３を維持部材１２１の側壁部に全体的に配置させてフレーム５２０の強度をさらに高めることによって、外力に対する抵抗力をさらに高めることができる。
【００７４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００７５】
１００    バッテリーパック
１１０    バッテリーセル
１２０、２２０、３２０、４２０、５２０    フレーム
１３０  エンドプレート
【図１】
2011253799.tif 000003
【図２】
2011253799.tif 000004
【図３】
2011253799.tif 000005
【図４】
2011253799.tif 000006
【図５】
2011253799.tif 000007
【図６】
2011253799.tif 000008
【図７】
2011253799.tif 000009
【図８】
2011253799.tif 000010